(57)【要約】  本出願の実施例は、無線通信方法及び装置を開示する。該無線通信方法は、ユーザ装置が、マッピング関係に基づいて、送信する必要があるサイドリンクデータに対応する上りスケジューリング要求フォーマットを決定し、前記マッピング関係が、異なるサイドリンクデータと異なる上りスケジューリング要求フォーマットとのマッピング関係を含むことと、前記ユーザ装置が前記上りスケジューリング要求フォーマットに基づいて前記ネットワーク装置に上りスケジューリング要求を送信することとを含む。
2021518707.tif 000002
【特許請求の範囲】
【請求項１】
無線通信方法であって、
ユーザ装置が、マッピング関係に基づいて、送信する必要があるサイドリンクデータに対応する上りスケジューリング要求フォーマットを決定し、前記マッピング関係が、異なるサイドリンクデータと異なる上りスケジューリング要求フォーマットとのマッピング関係を含むことと、
前記ユーザ装置が、前記上りスケジューリング要求フォーマットに基づいて前記ネットワーク装置に上りスケジューリング要求を送信することとを含む、無線通信方法。
【請求項２】
前記ユーザ装置が、マッピング関係に基づいて、送信する必要があるサイドリンクデータに対応する上りスケジューリング要求フォーマットを決定する前に、
前記ユーザ装置が、前記ネットワーク装置からの前記マッピング関係を受信することを更に含むことを特徴とする
請求項１に記載の方法。
【請求項３】
前記ユーザ装置が前記ネットワーク装置からの前記マッピング関係を受信する前に、
前記ユーザ装置が、前記ネットワーク装置に前記ユーザ装置のユーザ能力情報を送信することを更に含むことを特徴とする
請求項２に記載の方法。
【請求項４】
前記ユーザ能力情報は、前記ユーザ装置が短伝送時間間隔（ＴＴＩ）に基づいた上りスケジューリング要求フォーマットをサポートするかに関わる情報、及び／又は、前記ユーザ装置が所定の長さのＴＴＩの上りスケジューリング要求フォーマットをサポートしていることに関わる情報を含むことを特徴とする
請求項３に記載の方法。
【請求項５】
前記異なるサイドリンクデータは、異なるパケット優先度（ＰＰＰＰ）値を有するサイドリンクデータを含むことを特徴とする
請求項１から４のうちいずれか一項に記載の方法。
【請求項６】
前記異なるサイドリンクデータは、異なるパケット信頼性要件（ＰＰＰＲ）値を有するサイドリンクデータを含むことを特徴とする
請求項１から４のうちいずれか一項に記載の方法。
【請求項７】
前記異なるサイドリンクデータは、異なるサービス品質（ＱｏＳ）属性値を有するサイドリンクデータを含むことを特徴とする
請求項１から４のうちいずれか一項に記載の方法。
【請求項８】
前記異なるサイドリンクデータは、異なるサイドリンク論理チャネル又は異なるサイドリンク論理チャネルグループのサイドリンクデータを含むことを特徴とする
請求項１から４のうちいずれか一項に記載の方法。
【請求項９】
前記異なるサイドリンクデータは、異なるサービス識別子を有するサイドリンクデータを含むことを特徴とする
請求項１から４のうちいずれか一項に記載の方法。
【請求項１０】
前記異なるサイドリンクデータは、異なる宛先アドレスを有するサイドリンクデータを含むことを特徴とする
請求項１から４のうちいずれか一項に記載の方法。
【請求項１１】
前記異なる上りスケジューリング要求フォーマットは、異なる長さのＴＴＩに基づいた上りスケジューリング要求フォーマットを含むことを特徴とする
請求項１から１０のうちいずれか一項に記載の方法。
【請求項１２】
前記異なる上りスケジューリング要求フォーマットは、異なる物理上り制御チャネル（ＰＵＣＣＨ）フォーマットに基づいた上りスケジューリング要求フォーマットを含むことを特徴とする
請求項１から１０のうちいずれか一項に記載の方法。
【請求項１３】
前記マッピング関係において、１種のサイドリンクデータは、１種の上りスケジューリング要求フォーマットにマッピングされることを特徴とする
請求項１から１２のうちいずれか一項に記載の方法。
【請求項１４】
前記マッピング関係において、１種のサイドリンクデータは、複数種の上りスケジューリング要求フォーマットにマッピングされることを特徴とする
請求項１から１２のうちいずれか一項に記載の方法。
【請求項１５】
前記上りスケジューリング要求は、上りスケジューリング要求（ＳＲ）を含むことを特徴とする
請求項１から１４のうちいずれか一項に記載の方法。
【請求項１６】
無線通信方法であって、
ネットワーク装置がユーザ装置からの上りスケジューリング要求を受信し、前記上りスケジューリング要求の上りスケジューリング要求フォーマットが、前記ユーザ装置により、送信する必要があるサイドリンクデータ及びマッピング関係に基づいて決定されたものであり、前記マッピング関係には、異なるサイドリンクデータと異なる上りスケジューリング要求フォーマットとのマッピング関係が含まれることを含む、無線通信方法。
【請求項１７】
前記ネットワーク装置がユーザ装置からの上りスケジューリング要求を受信する前に、
前記ネットワーク装置が前記マッピング関係を設定することと、
前記ネットワーク装置が前記マッピング関係を前記ユーザ装置に送信することとを更に含むことを特徴とする
請求項１６に記載の方法。
【請求項１８】
前記ネットワーク装置が前記マッピング関係を設定する前に、
前記ネットワーク装置が前記ユーザ装置からの前記ユーザ装置のユーザ能力情報を受信することを更に含み、
前記ネットワーク装置が前記マッピング関係を設定することは、前記ネットワーク装置が前記ユーザ能力情報に基づいて前記マッピング関係を設定することを含むことを特徴とする
請求項１７に記載の方法。
【請求項１９】
前記ユーザ能力情報は、前記ユーザ装置が短伝送時間間隔（ＴＴＩ）に基づいた上りスケジューリング要求フォーマットをサポートするかに関わる情報、及び／又は、前記ユーザ装置が所定の長さのＴＴＩの上りスケジューリング要求フォーマットをサポートしていることに関わる情報を含むことを特徴とする
請求項１８に記載の方法。
【請求項２０】
前記異なるサイドリンクデータは、異なるパケット優先度（ＰＰＰＰ）値を有するサイドリンクデータを含むことを特徴とする
請求項１６から１９のうちいずれか一項に記載の方法。
【請求項２１】
前記異なるサイドリンクデータは、異なるパケット信頼性要件（ＰＰＰＲ）値を有するサイドリンクデータを含むことを特徴とする
請求項１６から１９のうちいずれか一項に記載の方法。
【請求項２２】
前記異なるサイドリンクデータは、異なるサービス品質（ＱｏＳ）属性値を有するサイドリンクデータを含むことを特徴とする
請求項１６から１９のうちいずれか一項に記載の方法。
【請求項２３】
前記異なるサイドリンクデータは、異なるサイドリンク論理チャネル又は異なるサイドリンク論理チャネルグループのサイドリンクデータを含むことを特徴とする
請求項１６から１９のうちいずれか一項に記載の方法。
【請求項２４】
前記異なるサイドリンクデータは、異なるサービス識別子を有するサイドリンクデータを含むことを特徴とする
請求項１６から１９のうちいずれか一項に記載の方法。
【請求項２５】
前記異なるサイドリンクデータは、異なる宛先アドレスを有するサイドリンクデータを含むことを特徴とする
請求項１６から１９のうちいずれか一項に記載の方法。
【請求項２６】
前記異なる上りスケジューリング要求フォーマットは、異なる長さのＴＴＩに基づいた上りスケジューリング要求フォーマットを含むことを特徴とする
請求項１６から２５のうちいずれか一項に記載の方法。
【請求項２７】
前記異なる上りスケジューリング要求フォーマットは、異なる物理上り制御チャネル（ＰＵＣＣＨ）フォーマットに基づいた上りスケジューリング要求フォーマットを含むことを特徴とする
請求項１６から２５のうちいずれか一項に記載の方法。
【請求項２８】
前記マッピング関係において、１種のサイドリンクデータは、１種の上りスケジューリング要求フォーマットにマッピングされることを特徴とする
請求項１６から２７のうちいずれか一項に記載の方法。
【請求項２９】
前記マッピング関係において、１種のサイドリンクデータは、複数種の上りスケジューリング要求フォーマットにマッピングされることを特徴とする
請求項１６から２７のうちいずれか一項に記載の方法。
【請求項３０】
前記上りスケジューリング要求は、上りスケジューリング要求（ＳＲ）を含むことを特徴とする
請求項１６から２９のうちいずれか一項に記載の方法。
【請求項３１】
ユーザ装置であって、
マッピング関係に基づいて、送信する必要があるサイドリンクデータに対応する上りスケジューリング要求フォーマットを決定するように構成され、前記マッピング関係が、異なるサイドリンクデータと異なる上りスケジューリング要求フォーマットとのマッピング関係を含む決定ユニットと、
前記上りスケジューリング要求フォーマットに基づいて前記ネットワーク装置に上りスケジューリング要求を送信するように構成される上りスケジューリング要求送信ユニットと、を備える、ユーザ装置。
【請求項３２】
前記ネットワーク装置からの前記マッピング関係を受信するように構成されるマッピング関係受信ユニットを更に備えることを特徴とする
請求項３１に記載の装置。
【請求項３３】
前記ネットワーク装置に前記ユーザ装置のユーザ能力情報を送信するように構成されるユーザ能力情報送信ユニットを更に備えることを特徴とする
請求項３１又は３２に記載の装置。
【請求項３４】
前記ユーザ能力情報は、前記ユーザ装置が短伝送時間間隔（ＴＴＩ）に基づいた上りスケジューリング要求フォーマットをサポートするかに関わる情報、及び／又は、前記ユーザ装置が所定の長さのＴＴＩの上りスケジューリング要求フォーマットをサポートしていることに関わる情報を含むことを特徴とする
請求項３３に記載の装置。
【請求項３５】
前記異なるサイドリンクデータは、異なるパケット優先度（ＰＰＰＰ）値を有するサイドリンクデータを含むことを特徴とする
請求項３１から３４のうちいずれか一項に記載の装置。
【請求項３６】
前記異なるサイドリンクデータは、異なるパケット信頼性要件（ＰＰＰＲ）値を有するサイドリンクデータを含むことを特徴とする
請求項３１から３４のうちいずれか一項に記載の装置。
【請求項３７】
前記異なるサイドリンクデータは、異なるサービス品質（ＱｏＳ）属性値を有するサイドリンクデータを含むことを特徴とする
請求項３１から３４のうちいずれか一項に記載の装置。
【請求項３８】
前記異なるサイドリンクデータは、異なるサイドリンク論理チャネル又は異なるサイドリンク論理チャネルグループのサイドリンクデータを含むことを特徴とする
請求項３１から３４のうちいずれか一項に記載の装置。
【請求項３９】
前記異なるサイドリンクデータは、異なるサービス識別子を有するサイドリンクデータを含むことを特徴とする
請求項３１から３４のうちいずれか一項に記載の装置。
【請求項４０】
前記異なるサイドリンクデータは、異なる宛先アドレスを有するサイドリンクデータを含むことを特徴とする
請求項３１から３４のうちいずれか一項に記載の装置。
【請求項４１】
前記異なる上りスケジューリング要求フォーマットは、異なる長さのＴＴＩに基づいた上りスケジューリング要求フォーマットを含むことを特徴とする
請求項３１から４０のうちいずれか一項に記載の装置。
【請求項４２】
前記異なる上りスケジューリング要求フォーマットは、異なる物理上り制御チャネル（ＰＵＣＣＨ）フォーマットに基づいた上りスケジューリング要求フォーマットを含むことを特徴とする
請求項３１から４０のうちいずれか一項に記載の装置。
【請求項４３】
前記マッピング関係において、１種のサイドリンクデータは、１種の上りスケジューリング要求フォーマットにマッピングされることを特徴とする
請求項３１から４２のうちいずれか一項に記載の装置。
【請求項４４】
前記マッピング関係において、１種のサイドリンクデータは、複数種の上りスケジューリング要求フォーマットにマッピングされることを特徴とする
請求項３１から４２のうちいずれか一項に記載の装置。
【請求項４５】
前記上りスケジューリング要求は、上りスケジューリング要求（ＳＲ）を含むことを特徴とする
請求項３１から４４のうちいずれか一項に記載の装置。
【請求項４６】
ネットワーク装置であって、
ユーザ装置からの上りスケジューリング要求を受信するように構成され、前記上りスケジューリング要求の上りスケジューリング要求フォーマットが、前記ユーザ装置により、送信する必要があるサイドリンクデータ及びマッピング関係に基づいて決定されたものであり、前記マッピング関係には、異なるサイドリンクデータと異なる上りスケジューリング要求フォーマットとのマッピング関係が含まれる上りスケジューリング要求受信ユニットを備える、ネットワーク装置。
【請求項４７】
前記マッピング関係を設定するように構成される設定ユニットと、
前記マッピング関係を前記ユーザ装置に送信するように構成されるマッピング関係送信ユニットとを更に備えることを特徴とする
請求項４６に記載の装置。
【請求項４８】
前記ユーザ装置からの前記ユーザ装置のユーザ能力情報を受信するように構成されるユーザ能力情報受信ユニットを更に備え、
前記設定ユニットは更に、前記ユーザ能力情報に基づいて前記マッピング関係を設定するように構成されることを特徴とする
請求項４７に記載の装置。
【請求項４９】
前記ユーザ能力情報は、前記ユーザ装置が短伝送時間間隔（ＴＴＩ）に基づいた上りスケジューリング要求フォーマットをサポートするかに関わる情報、及び／又は、前記ユーザ装置が所定の長さのＴＴＩの上りスケジューリング要求フォーマットをサポートしていることに関わる情報を含むことを特徴とする
請求項４８に記載の装置。
【請求項５０】
前記異なるサイドリンクデータは、異なるパケット優先度（ＰＰＰＰ）値を有するサイドリンクデータを含むことを特徴とする
請求項４６から４９のうちいずれか一項に記載の装置。
【請求項５１】
前記異なるサイドリンクデータは、異なるパケット信頼性要件（ＰＰＰＲ）値を有するサイドリンクデータを含むことを特徴とする
請求項４６から４９のうちいずれか一項に記載の装置。
【請求項５２】
前記異なるサイドリンクデータは、異なるサービス品質（ＱｏＳ）属性値を有するサイドリンクデータを含むことを特徴とする
請求項４６から４９のうちいずれか一項に記載の装置。
【請求項５３】
前記異なるサイドリンクデータは、異なるサイドリンク論理チャネル又は異なるサイドリンク論理チャネルグループのサイドリンクデータを含むことを特徴とする
請求項４６から４９のうちいずれか一項に記載の装置。
【請求項５４】
前記異なるサイドリンクデータは、異なるサービス識別子を有するサイドリンクデータを含むことを特徴とする
請求項４６から４９のうちいずれか一項に記載の装置。
【請求項５５】
前記異なるサイドリンクデータは、異なる宛先アドレスを有するサイドリンクデータを含むことを特徴とする
請求項４６から４９のうちいずれか一項に記載の装置。
【請求項５６】
前記異なる上りスケジューリング要求フォーマットは、異なる長さのＴＴＩに基づいた上りスケジューリング要求フォーマットを含むことを特徴とする
請求項４６から５５のうちいずれか一項に記載の装置。
【請求項５７】
前記異なる上りスケジューリング要求フォーマットは、異なる物理上り制御チャネル（ＰＵＣＣＨ）フォーマットに基づいた上りスケジューリング要求フォーマットを含むことを特徴とする
請求項４６から５５のうちいずれか一項に記載の装置。
【請求項５８】
前記マッピング関係において、１種のサイドリンクデータは、１種の上りスケジューリング要求フォーマットにマッピングされることを特徴とする
請求項４６から５７のうちいずれか一項に記載の装置。
【請求項５９】
前記マッピング関係において、１種のサイドリンクデータは、複数種の上りスケジューリング要求フォーマットにマッピングされることを特徴とする
請求項４６から５７のうちいずれか一項に記載の装置。
【請求項６０】
前記上りスケジューリング要求は、上りスケジューリング要求（ＳＲ）を含むことを特徴とする
請求項４６から５９のうちいずれか一項に記載の装置。
【請求項６１】
ユーザ装置であって、
コンピュータによる実行可能な命令を記憶するためのメモリと、
前記コンピュータによる実行可能な命令を実行する時、請求項１から１５のうちいずれか一項に記載の無線通信方法のステップを実現させるためのプロセッサと、を備える、ユーザ装置。
【請求項６２】
ネットワーク装置であって、
コンピュータによる実行可能な命令を記憶するためのメモリと、
前記コンピュータによる実行可能な命令を実行する時、請求項１６から３０のうちいずれか一項に記載の無線通信方法のステップを実現させるためのプロセッサと、を備える、ネットワーク装置。
【請求項６３】
コンピュータ可読記憶媒体であって、前記コンピュータ可読記憶媒体には、コンピュータによる実行可能な命令が記憶されており、前記コンピュータによる実行可能な命令がプロセッサにより実行される時、請求項１から１５のうちいずれか一項に記載の無線通信方法のステップ、又は請求項１６から３０のうちいずれか一項に記載の無線通信方法のステップを実現させる、コンピュータ可読記憶媒体。
【発明の詳細な説明】
【技術分野】
【０００１】
本出願は、無線通信分野に関し、特に無線通信方法、ユーザ装置及びネットワーク装置に関する。
【背景技術】
【０００２】
長期的進化（Ｌｏｎｇ  Ｔｅｒｍ  Ｅｖａｌｕａｔｉｏｎ：ＬＴＥ）システムにおいて、ユーザ装置（Ｕｓｅｒ  Ｅｑｕｉｐｍｅｎｔ：ＵＥ）は、データ送信を行う必要がある場合、ネットワーク装置に上りスケジューリング要求（Ｓｃｈｅｄｕｌｉｎｇ  Ｒｅｑｕｅｓｔ：ＳＲ）を送信して上りリソース要求を行う必要がある。
【０００３】
車のインターネットシステムには、低いデータ伝送遅延要件が求められている。従来の上りリソース要求プロセスは、車のインターネットシステムに求められている低いデータ伝送遅延要件を満たすことができない。従って、データの伝送遅延を低下させるために、上りリソーススケジューリング方策を如何に設計するかは、至急に解决する必要がある問題となる。
【発明の概要】
【発明が解決しようとする課題】
【０００４】
本出願の実施形態は、端末間のデータ伝送の低遅延要件を満たすことができる無線通信方法、ユーザ装置及びネットワーク装置を提供する。
【課題を解決するための手段】
【０００５】
第１態様によれば、本出願の実施形態は、無線通信方法を開示する。該方法は、
ユーザ装置が、マッピング関係に基づいて、送信する必要があるサイドリンクデータに対応する上りスケジューリング要求フォーマットを決定し、前記マッピング関係が、異なるサイドリンクデータと異なる上りスケジューリング要求フォーマットとのマッピング関係を含むことと、前記ユーザ装置が前記上りスケジューリング要求フォーマットに基づいて前記ネットワーク装置に上りスケジューリング要求を送信することとを含む。
【０００６】
第２態様によれば、本出願の実施形態は、無線通信方法を更に開示する。該方法は、
ネットワーク装置がユーザ装置からの上りスケジューリング要求を受信し、前記上りスケジューリング要求の上りスケジューリング要求フォーマットが、前記ユーザ装置により、送信する必要があるサイドリンクデータ及びマッピング関係に基づいて決定されたものであり、前記マッピング関係には、異なるサイドリンクデータと異なる上りスケジューリング要求フォーマットとのマッピング関係が含まれることを含む。
【０００７】
第３態様によれば、本出願の実施形態は、ユーザ装置を更に開示する。該ユーザ装置は、
マッピング関係に基づいて、送信する必要があるサイドリンクデータに対応する上りスケジューリング要求フォーマットを決定するように構成され、前記マッピング関係が、異なるサイドリンクデータと異なる上りスケジューリング要求フォーマットとのマッピング関係を含む決定ユニットと、
前記上りスケジューリング要求フォーマットに基づいて前記ネットワーク装置に上りスケジューリング要求を送信するように構成される上りスケジューリング要求送信ユニットと、を備える。
【０００８】
第４態様によれば、本出願の実施形態は、ネットワーク装置を更に開示する。該ネットワーク装置は、
ユーザ装置からの上りスケジューリング要求を受信するように構成され、前記上りスケジューリング要求の上りスケジューリング要求フォーマットが、前記ユーザ装置により、送信する必要があるサイドリンクデータ及びマッピング関係に基づいて決定されたものであり、前記マッピング関係には、異なるサイドリンクデータと異なる上りスケジューリング要求フォーマットとのマッピング関係が含まれる上りスケジューリング要求受信ユニットを備える。
【０００９】
第５態様によれば、本出願の実施形態は、ユーザ装置を更に開示する。該ユーザ装置は、
コンピュータによる実行可能な命令を記憶するためのメモリと、該コンピュータによる実行可能な命令をを実行する時、上記無線通信方法のステップを実現させるためのプロセッサと、を備える。
【００１０】
第６態様によれば、本出願の実施形態は、ネットワーク装置を更に開示する。該ネットワーク装置は、
コンピュータによる実行可能な命令を記憶するためのメモリと、該コンピュータによる実行可能な命令をを実行する時、上記無線通信方法のステップを実現させるためのプロセッサと、を備える。
【００１１】
第７態様によれば、本出願の実施形態は、コンピュータ記憶媒体を更に開示する。該コンピュータ記憶媒体には、コンピュータによる実行可能な命令が記憶されており、前記コンピュータによる実行可能な命令がプロセッサにより実行される時、上記無線通信方法のステップを実現させる。
【発明の効果】
【００１２】
従って、本出願の実施形態において、異なる上りスケジューリング要求フォーマットの上りスケジューリング要求を送信することで、ネットワー  ク装置がＵＥによるデータ送信に供するリソース許可をタイムリーに与えるようにする。従って、端末間のデータ伝送の低遅延要件を満たすことができる。
【００１３】
本出願の実施形態の明細書には、多くの技術的特徴が記載されており、それらは各技術的解決手段に分布する。本発明の全ての可能な技術的特徴の組み合わせ（即ち技術的解決手段）を挙げれば、明細書が過度に冗長となる。該問題を避けるために、本発明の上記発明の概要に開示される各技術的特徴、以下の各実施例及例に開示されている各技術的特徴、及び図面に開示されている各技術的特徴は、技術的に実現可能である限り、いずれも自由に相互組み合わせることで、様々な新しい技術的解決手段（これらの技術的解決手段は、本明細書に記載されているものと見なされる）を構成することができる。例えば、一例において特徴Ａ＋Ｂ＋Ｃが開示され、別の例において特徴Ａ＋Ｂ＋Ｄ＋Ｅが開示されるが、特徴ＣとＤは、同一の役割を果たす同等の技術的解決手段であり、技術的には、１つを選択して使用すればよく、同時に使用することは不可能である。特徴Ｅが技術的には、特徴Ｃと組み合わせることが可能である。従って、Ａ＋Ｂ＋Ｃ＋Ｄによる技術的解決手段は、技術的に実現不可能であるため、記載されているものと見なされるべきではなく、Ａ＋Ｂ＋Ｃ＋Ｅによる技術的解決手段は、記載されているものと見なされるべきである。
【図面の簡単な説明】
【００１４】
【図１】ＬＴＥシステムにおけるモード３を示す概略図である。
【図２】ＬＴＥシステムにおけるモード４を示す概略図である。
【図３】ＬＴＥシステムにおけるリソース要求プロセスを示す概略図である。
【図４】本出願の第１実施形態による無線通信方法を示すフローチャートである。
【図５】本出願の第２実施形態による無線通信方法を示すフローチャートである。
【図６】本出願の実施例によるユーザ装置とネットワーク装置とのインタラクションのための無線通信方法を示すフローチャートである。
【図７】本出願の第３実施形態によるユーザ装置の構造を示す概略図である。
【図８】本出願の第４実施形態によるネットワーク装置の構造を示す概略図である。
【図９】本出願の第５実施形態による通信装置の構造を示す概略図である。
【発明を実施するための形態】
【００１５】
以下の記述において、本発明をよく理解させるために多くの技術的詳細を説明する。しかしながら、当業者であれば、これらの技術的詳細及び以下の各実施形態に基づく各種の変化及び修正が存在しなくても、本出願の保護を求めようとする技術的解決手段を実現させることもできる、と理解することができる。
【００１６】
一部の用語に関する説明：
ＵＥ：Ｕｓｅｒ  Ｅｑｕｉｐｍｅｎｔ、ユーザ装置。
【００１７】
本出願の各実施形態において、言及したユーザ装置は、多種多様であってよい。例えば、スマートフォン、タブレット、デスクトップパソコン、ノートパソコン、カスタマイズされた無線端末、モノのインターネットノード、無線通信モジュール等のような、ネットワーク装置との間又は相互間で約束した通信プロトコルに基づいて無線通信を行うことができるものであればよい。
【００１８】
ＬＴＥ：Ｌｏｎｇ  Ｔｅｒｍ  Ｅｖａｌｕａｔｉｏｎ、長期的進化。
【００１９】
Ｄ２Ｄ：Ｄｅｖｉｃｅ  ｔｏ  Ｄｅｖｉｃｅ、端末間。
【００２０】
Ｖ２Ｘ：Ｖｅｈｉｃｌｅ  ｔｏ  Ｅｖｅｒｙｔｈｉｎｇ、車車間・路車間。
【００２１】
ＳＬ：ｓｉｄｅｌｉｎｋ、サイドリンク。
【００２２】
ＤＬ：Ｄｏｗｎｌｉｎｋ、下りリンク。
【００２３】
ＳＲ：Ｓｃｈｅｄｕｌｉｎｇ  Ｒｅｑｕｅｓｔ、上りスケジューリング要求又はスケジューリング要求。
【００２４】
ＢＳＲ：Ｂｕｆｆｅｒ  Ｓｔａｔｕｓ  Ｒｅｐｏｒｔ、バッファステータスレポート。
【００２５】
ＴＴＩ：Ｔｒａｎｓｍｉｓｓｉｏｎ  Ｔｉｍｅ  Ｉｎｔｅｒｖａｌ、伝送時間間隔。
【００２６】
ＰＵＣＣＨ：Ｐｈｙｓｉｃａｌ  Ｕｐｌｉｎｋ  Ｃｏｎｔｒｏｌ  Ｃｈａｎｎｅｌ、物理上り制御チャネル。
【００２７】
ＰＰＰＰ：ＰｒｏＳｅＰｅｒ−Ｐａｃｋｅｔ  Ｐｒｉｏｒｉｔｙ、パケット優先度。
【００２８】
ＰＰＰＲ：ＰｒｏＳｅＰｅｒ−Ｐａｃｋｅｔ  Ｒｅｌｉａｂｌｉｔｙ、パケット信頼性要件。
【００２９】
以下、本出願の実施例の一部の適用シナリオを概説する。
【００３０】
車のインターネットシステムは、ＬＴＥ−Ｄ２Ｄに基づいたサイドリンク伝送技術である。従来のＬＴＥシステムにおける基地局による通信データ送受信の方式と異なっており、車のインターネットシステムは、端末間で直接通信するという方式を利用するため、より高いスペクトル効率及びより低い伝送遅延を有する。
【００３１】
３ＧＰＰ  Ｒｅｌ−１４において、車のインターネット技術（Ｖ２Ｘ）が正規化されており、モード３及びモード４という２つの伝送モードが定義される。
【００３２】
モード３において、図１に示すように、車載端末の伝送リソースは基地局（ｅＮＢ）により割り当てられる。車載端末は、基地局により割り当てられたリソースに基づいて、サイドリンクでデータを送信する。基地局は、端末のために、単一送信リソースを割り当てることができるだけでなく、端末のために、半静的伝送リソースを割り当てることもできる。
【００３３】
モード４において、図２に示すように、車載端末は、センシング（ｓｅｎｓｉｎｇ）＋予約（ｒｅｓｅｒｖａｔｉｏｎ）の伝送方式を用いる。車載端末は、利用可能な伝送リソースセットをセンシング方式でリソースプールから取得する。端末は、該伝送リソースセットから、１つのリソースをランダムに選択してデータ伝送を行う。車のインターネットシステムにおけるトラフィックが周期的特性を有するため、端末は、一般的には半静的伝送方式を用いる。即ち、端末は、１つの伝送リソースを選択すると、複数の伝送周期において該リソースを使用し続けることで、リソース再選択及びリソース競合の確率を低減させる。端末は、今回伝送される制御情報の中に次回の伝送リソースの予約された情報を含めることで、他の端末が該ユーザの制御情報を検出することで該リソースが該ユーザにより予約又は利用されているかを判定できるようにする。従って、リソース競合低減の目的を達成する。
【００３４】
Ｒｅｌ−１５において、ｅＶ２Ｘは、より低い遅延要件をサポートすることを求める。例えば、３−５ｍｓの端末間遅延をサポートすることを求める。従って、ネットワークは、モード３でＵＥによるデータ送信に供するリソース許可をタイムリーに与えることを求める。
【００３５】
図３に示すように、ユーザがネットワークにＳＬリソースを申請する場合のプロセスは、ＳＲ送信−上りリソース許可−ＳＬ  ＢＳＲ送信−ＳＬリソース許可である。該プロセスは、現在の構成で、１６ｍｓの遅延（４ｍｓ  ＴＴＩの長さと仮定する）を経る必要があり、３−５ｍｓの遅延要件を超えている。従って、より低い遅延要件を満たすために、ＳＬの上りリソース申請方法を改良する必要がある。
【００３６】
本出願の技術的解決手段は、車のインターネットシステムに適用されてもよい（これに限定されない）。
【００３７】
本出願の目的、技術的解決手段および利点をより明らかにするために、以下、図面を参照しながら、本発明の実施形態をさらに詳しく説明する。
【００３８】
本出願の第１実施形態は、無線通信方法に関する。図４は、該無線通信方法を示すフローチャートである。具体的には、図４に示すように、該無線通信方法は、以下を含む。
【００３９】
ステップ４０１において、ユーザ装置が、マッピング関係に基づいて、送信する必要があるサイドリンクデータに対応する上りスケジューリング要求フォーマットを決定し、前記マッピング関係が、異なるサイドリンクデータと異なる上りスケジューリング要求フォーマットとのマッピング関係を含む。続いて、ステップ４０２に進み、ユーザ装置が該上りスケジューリング要求フォーマットに基づいてネットワーク装置に上りスケジューリング要求を送信する。続いて、本プロセスを終了する。
【００４０】
任意選択的に、ステップ４０１の前に、該無線通信方法は、ユーザ装置がネットワーク装置からのマッピング関係を受信することを更に含んでもよい。
【００４１】
任意選択的に、ユーザ装置がネットワーク装置からのマッピング関係を受信する前に、該無線通信方法は、ユーザ装置がネットワーク装置にユーザ装置のユーザ能力情報を送信することを更に含んでもよい。
【００４２】
任意選択的に、該ユーザ能力情報は、ユーザ装置が短ＴＴＩに基づいた上りスケジューリング要求フォーマットをサポートするかに関わる情報、及び／又は、ユーザ装置が所定の長さのＴＴＩの上りスケジューリング要求フォーマットをサポートしていることに関わる情報を含む。
【００４３】
例を挙げると、複数のユーザ装置において、各ユーザ装置のユーザ能力情報は、ユーザ装置１が１ｍｓ  ＴＴＩの上りスケジューリング要求フォーマットのみをサポートし、短ＴＴＩ（例えば、１ｍｓより短い）の上りスケジューリング要求フォーマットをサポートせず、ユーザ装置２が１ｍｓ  ＴＴＩ及び０．５ｍｓ  ＴＴＩの上りスケジューリング要求フォーマットをサポートし、ユーザ装置３が０．２５ｍｓ  ＴＴＩ及び１ｍｓ  ＴＴＩの上りスケジューリング要求フォーマットをサポートすることに関わる情報等を含む。
【００４４】
ネットワーク装置は、該ユーザ装置のユーザ能力情報に基づいてマッピング関係の設定を行うことができる。
【００４５】
例えば、ユーザ装置のユーザ能力情報によれば、ユーザ装置が短ＴＴＩ（例えば、０．２５ｍｓ）をサポートすると、マッピング関係における上りスケジューリング要求フォーマットは、該短ＴＴＩに対応する上りスケジューリング要求フォーマットであり、ユーザ装置が短ＴＴＩをサポートしないと、マッピング関係における上りスケジューリング要求フォーマットは、長ＴＴＩ（例えば、１ｍｓ）に対応する上りスケジューリング要求フォーマットである。
【００４６】
更に、ステップ４０１において、異なるサイドリンクデータは、多種多様のサイドリンクデータであってもよく、以下を含むが、これらに限定されない。
【００４７】
任意選択的に、異なるサイドリンクデータは、異なるＰＰＰＰ値を有するサイドリンクデータを含む。
【００４８】
任意選択的に、異なるサイドリンクデータは、異なるＰＰＰＲ値を有するサイドリンクデータを含む。
【００４９】
任意選択的に、異なるサイドリンクデータは、異なるサービス品質（ＱｏＳ）属性値を有するサイドリンクデータを含む。
【００５０】
任意選択的に、異なるサイドリンクデータは、異なるサイドリンク論理チャネル又は異なるサイドリンク論理チャネルグループのサイドリンクデータを含む。
【００５１】
任意選択的に、異なるサイドリンクデータは、異なるサービス識別子を有するサイドリンクデータを含む。
【００５２】
任意選択的に、異なるサイドリンクデータは、異なる宛先アドレスを有するサイドリンクデータを含む。
【００５３】
同様に、異なる上りスケジューリング要求フォーマットは、多種多様の上りスケジューリング要求フォーマットであってもよく、以下を含むが、これらに限定されない。
【００５４】
任意選択的に、異なる上りスケジューリング要求フォーマットは、異なる長さのＴＴＩに基づいた上りスケジューリング要求フォーマットを含む。
【００５５】
任意選択的に、異なる上りスケジューリング要求フォーマットは、異なるＰＵＣＣＨフォーマットに基づいた上りスケジューリング要求フォーマットを含む。
【００５６】
なお、該マッピング関係において、１種のサイドリンクデータは、１種の上りスケジューリング要求フォーマットにマッピングされてもよく、複数種の上りスケジューリング要求フォーマットにマッピングされてもよい。１種のサイドリンクデータが複数種の上りスケジューリング要求フォーマットにマッピングされる場合、いずれか１種の上りスケジューリング要求フォーマットを選択して利用することができる。
【００５７】
又は、同一の論理チャネルグループにおける異なるデータは、該論理チャネルグループにおける全てのデータに適用可能な上りスケジューリング要求フォーマットにマッピングされてもよい。例えば、データ１及びデータ２が同一の論理チャネルグループ内に存在し、データ１が第１上りスケジューリング要求フォーマットにマッピングされ、データ２が第１上りスケジューリング要求フォーマット及び第２上りスケジューリング要求フォーマットにマッピングされるため、該論理チャネルグループにおいて、データ１及びデータ２に対して、統一的に第１上りスケジューリング要求フォーマットを利用する。
【００５８】
任意選択的に、該実施形態に記載の上りスケジューリング要求は、上りスケジューリング要求（ＳＲ）（Ｓｃｈｅｄｕｌｉｎｇ  Ｒｅｑｕｅｓｔ）を含む。
【００５９】
本出願の第２実施形態は、無線通信方法に関する。
【００６０】
該第１実施形態において、ユーザ装置の点で該無線通信方法を説明するが、該第２実施形態は、ネットワーク装置の点で該無線通信方法を説明し、両者は、相互対応するプロセスであり、技術的思想が一致しており、関連細部は、互換的に利用可能であることに留意されたい。図５は、該無線通信方法を示すフローチャートである。具体的には、図５に示すように、該無線通信方法は、以下を含む。
【００６１】
ステップ５０１において、ネットワーク装置がユーザ装置からの上りスケジューリング要求を受信し、前記上りスケジューリング要求の上りスケジューリング要求フォーマットが、該ユーザ装置により、送信する必要があるサイドリンクデータ及びマッピング関係に基づいて決定されたものであり、該マッピング関係には、異なるサイドリンクデータと異なる上りスケジューリング要求フォーマットとのマッピング関係が含まれる。続いて、本プロセスを終了する。
【００６２】
任意選択的に、ステップ５０１の前に、該無線通信方法は、ネットワーク装置が該マッピング関係を設定することと、ネットワーク装置が該マッピング関係を該ユーザ装置に送信することとを更に含んでもよい。
【００６３】
更に、任意選択的に、ネットワーク装置が該マッピング関係を設定する前に、該無線通信方法は、ネットワーク装置がユーザ装置からの該ユーザ装置のユーザ能力情報を受信することを更に含んでもよい。
【００６４】
任意選択的に、該ユーザ能力情報は、ユーザ装置が短ＴＴＩに基づいた上りスケジューリング要求フォーマットをサポートするかに関わる情報、及び／又は、ユーザ装置が所定の長さのＴＴＩの上りスケジューリング要求フォーマットをサポートしていることに関わる情報を含む。
【００６５】
例を挙げると、複数のユーザ装置において、各ユーザ装置のユーザ能力情報は、ユーザ装置１が１ｍｓ  ＴＴＩの上りスケジューリング要求フォーマットのみをサポートし、短ＴＴＩ（例えば、１ｍｓより短い）の上りスケジューリング要求フォーマットをサポートせず、ユーザ装置２が１ｍｓ  ＴＴＩ及び０．５ｍｓ  ＴＴＩの上りスケジューリング要求フォーマットをサポートし、ユーザ装置３が０．２５ｍｓ  ＴＴＩ及び１ｍｓ  ＴＴＩの上りスケジューリング要求フォーマットをサポートすることに関わる情報等を含む。
【００６６】
任意選択的に、上記ネットワーク装置が該マッピング関係を設定することは、ネットワーク装置が該ユーザ装置のユーザ能力情報に基づいてマッピング関係の設定を行うことができることを含む。
【００６７】
例えば、ユーザ装置のユーザ能力情報によれば、ユーザ装置が短ＴＴＩ（例えば、０．２５ｍｓ）をサポートすると、マッピング関係における上りスケジューリング要求フォーマットは、該短ＴＴＩに対応する上りスケジューリング要求フォーマットであり、ユーザ装置が短ＴＴＩをサポートしないと、マッピング関係における上りスケジューリング要求フォーマットは、長ＴＴＩ（例えば、１ｍｓ）に対応する上りスケジューリング要求フォーマットである。
【００６８】
更に、ステップ５０１において、異なるサイドリンクデータは、多種多様のサイドリンクデータであってもよく、以下を含むが、これらに限定されない。
【００６９】
任意選択的に、異なるサイドリンクデータは、異なるＰＰＰＰ値を有するサイドリンクデータを含む。
【００７０】
任意選択的に、異なるサイドリンクデータは、異なるＰＰＰＲ値を有するサイドリンクデータを含む。
【００７１】
任意選択的に、異なるサイドリンクデータは、異なるＱｏＳ属性値を有するサイドリンクデータを含む。
【００７２】
任意選択的に、異なるサイドリンクデータは、異なるサイドリンク論理チャネル又は異なるサイドリンク論理チャネルグループのサイドリンクデータを含む。
【００７３】
任意選択的に、異なるサイドリンクデータは、異なるサービス識別子を有するサイドリンクデータを含む。
【００７４】
任意選択的に、異なるサイドリンクデータは、異なる宛先アドレスを有するサイドリンクデータを含む。
【００７５】
同様に、異なる上りスケジューリング要求フォーマットは、多種多様の上りスケジューリング要求フォーマットであってもよく、以下を含むが、これらに限定されない。
【００７６】
任意選択的に、異なる上りスケジューリング要求フォーマットは、異なる長さのＴＴＩに基づいた上りスケジューリング要求フォーマットを含む。
【００７７】
任意選択的に、異なる上りスケジューリング要求フォーマットは、異なるＰＵＣＣＨフォーマットに基づいた上りスケジューリング要求フォーマットを含む。
【００７８】
なお、該マッピング関係において、１種のサイドリンクデータは、１種の上りスケジューリング要求フォーマットにマッピングされてもよく、複数種の上りスケジューリング要求フォーマットにマッピングされてもよい。１種のサイドリンクデータが複数種の上りスケジューリング要求フォーマットにマッピングされる場合、いずれか１種の上りスケジューリング要求フォーマットを選択して利用することができる。
【００７９】
又は、同一の論理チャネルグループにおける異なるデータは、該論理チャネルグループにおける全てのデータに適用可能な上りスケジューリング要求フォーマットにマッピングされてもよい。例えば、データ１及びデータ２が同一の論理チャネルグループ内に存在し、データ１が第１上りスケジューリング要求フォーマットにマッピングされ、データ２映が第１上りスケジューリング要求フォーマット及び第２上りスケジューリング要求フォーマットにマッピングされるため、該論理チャネルグループにおいて、データ１及びデータ２に対して、統一的に第１上りスケジューリング要求フォーマットを利用する。
【００８０】
任意選択的に、該実施形態に記載の上りスケジューリング要求は、上りスケジューリング要求（ＳＲ）（Ｓｃｈｅｄｕｌｉｎｇ  Ｒｅｑｕｅｓｔ）を含む。
【００８１】
以下、本出願の一具体的な実施例を説明する。図６は、該実施例によるユーザ装置とネットワーク装置とのインタラクションのための無線通信方法を示すフローチャートである。具体的には、図６に示すように、該ユーザ装置とネットワーク装置とのインタラクションのための無線通信方法は、少なくとも以下を含む。
【００８２】
ステップ６０１において、ユーザ装置がネットワーク装置に該ユーザ装置のユーザ能力情報を送信する。
【００８３】
任意選択的に、ユーザ能力情報は、ユーザ装置が短ＴＴＩに基づいた上りＳＲフォーマットをサポートするかに関わる情報、及び／又は、ユーザ装置が所定の長さのＴＴＩのＳＲフォーマットをサポートしていることに関わる情報を含む。
【００８４】
例を挙げると、複数のユーザ装置において、各ユーザ装置のユーザ能力情報は、ユーザ装置１が１ｍｓ  ＴＴＩの上りスケジューリング要求フォーマットのみをサポートし、短ＴＴＩ（例えば、１ｍｓより短い）の上りスケジューリング要求フォーマットをサポートせず、ユーザ装置２が１ｍｓ  ＴＴＩ及び０．５ｍｓ  ＴＴＩの上りスケジューリング要求フォーマットをサポートし、ユーザ装置３が０．２５ｍｓ  ＴＴＩ及び１ｍｓ  ＴＴＩの上りスケジューリング要求フォーマットをサポートすることに関わる情報等を含む。
【００８５】
続いてステップ６０２に進み、ネットワーク装置がユーザ装置からのユーザ能力情報を受信し、該ユーザ能力情報に基づいてＳＬデータとＳＲフォーマットとのマッピング関係を設定し、ユーザ装置に該マッピング関係を送信する。例えば、ユーザ装置のユーザ能力情報によれば、ユーザ装置が短ＴＴＩ（例えば、０．２５ｍｓ）をサポートすると、マッピング関係におけるＳＲフォーマットは、該短ＴＴＩに対応するＳＲフォーマットであり、ユーザ装置が短ＴＴＩをサポートしないと、マッピング関係におけるＳＲフォーマットは、長ＴＴＩ（例えば、１ｍｓ）に対応するＳＲフォーマットである。
【００８６】
任意選択的に、ネットワーク装置は、ユーザ装置のために、少なくとも長さが異なるＴＴＩに対する２つのＳＲリソースを含む異なるＳＲリソースを割り当てる。また、ネットワークは、異なるＳＬデータ及びＳＲフォーマットのために、マッピング関係を設定する。該マッピング関係における異なるＳＲフォーマットは、上記異なるＳＲリソースに対応する。
【００８７】
任意選択的に、該マッピング関係において、
ｉ．１種のＳＬデータは、１つのＳＲフォーマットにマッピングされてもよく、
ｉｉ．１種のＳＬデータは、複数のＳＲフォーマットにマッピングされてもよい。
【００８８】
上記異なるＳＬデータは、
ｉ．異なるＰＰＰＰ値を有するＳＬデータ、
ｉｉ．異なるＰＰＰＲ値を有するＳＬデータ、
ｉｉｉ．異なるＱｏＳ属性値を有するＳＬデータ、
ｉｖ．異なるＳＬ論理チャネル（グループ）のＳＬデータ、
ｖ．異なるサービスＩＤを有するＳＬデータ、
ｖｉ．異なる宛先アドレスを有するＳＬデータであってもよい。
【００８９】
上記異なるＳＲフォーマットは、
ｉ．異なるＴＴＩ長さに基づいたＳＲフォーマット、
ｉｉ．異なるＰＵＣＣＨフォーマットに基づいたＳＲフォーマットであってもよい。
【００９０】
続いてステップ６０３に進み、ユーザ装置が、ネットワーク装置からのマッピング関係を受信し、該マッピング関係に基づいてＳＲフォーマットを決定し、ネットワーク装置にＳＲを送信する。
【００９１】
ターゲットＳＬデータがＳＲ伝送をトリガする。任意選択的に、
ａ．上記マッピング関係によれば、該ターゲットＳＬデータが特定のＳＲフォーマットにマッピングされると、該ＳＲフォーマットを利用してリソース要求を行い、
ｂ．上記マッピング関係によれば、該ターゲットＳＬデータが特定のＳＲフォーマットにマッピングされず、それと同時に、ＳＲ伝送をトリガする他のＳＬデータが特定のＳＲフォーマットにマッピングされていない場合、該ＳＲフォーマットを利用してリソース要求を行わない。
【００９２】
続いて、ステップ６０４に進み、ネットワーク装置がユーザ装置からのＳＲを受信する。
【００９３】
任意選択的に、ネットワーク装置は、ＳＲフォーマットに基づいて、ＳＲ伝送をトリガするＳＬデータに低遅延が求められるかを判定することで、適合したリソース許可を与えることができる。
【００９４】
具体的には、ネットワーク装置がユーザ装置からのＳＲを受信してから、上りリソースを申請するユーザ装置を決定し、受信したＳＲのＳＲフォーマットに基づいて、上りリソース申請をトリガするサイドリンクデータのタイプを判定することで、対応する上りリソースを割り当て、下り制御情報（ＤＣＩ）を配信することで、前記上りリソース割り当てをユーザ装置に通知する。
【００９５】
本出願の第３実施形態は、ユーザ装置に関する。
【００９６】
図７は、該ユーザ装置の構造を示す概略図である。具体的には、図７に示すように、該ユーザ装置は、
マッピング関係に基づいて、送信する必要があるサイドリンクデータに対応する上りスケジューリング要求フォーマットを決定するように構成され、前記マッピング関係が、異なるサイドリンクデータと異なる上りスケジューリング要求フォーマットとのマッピング関係を含む決定ユニットと、
決定ユニットにより決定された上りスケジューリング要求フォーマットに基づいてネットワーク装置に上りスケジューリング要求を送信するように構成される上りスケジューリング要求送信ユニットと、を備える。
【００９７】
任意選択的に、該ユーザ装置は、
ネットワーク装置からのマッピング関係を受信するように構成されるマッピング関係受信ユニットを更に備えてもよい。
【００９８】
任意選択的に、該ユーザ装置は、
ネットワーク装置に該ユーザ装置のユーザ能力情報を送信するように構成されるユーザ能力情報送信ユニットを更に備えてもよい。
【００９９】
任意選択的に、ユーザ能力情報は、ユーザ装置が短ＴＴＩに基づいた上りスケジューリング要求フォーマットをサポートするかに関わる情報、及び／又は、ユーザ装置が所定の長さのＴＴＩの上りスケジューリング要求フォーマットをサポートしていることに関わる情報を含む。
【０１００】
例を挙げると、複数のユーザ装置において、各ユーザ装置のユーザ能力情報は、ユーザ装置１が１ｍｓ  ＴＴＩの上りスケジューリング要求フォーマットのみをサポートし、短ＴＴＩ（例えば、１ｍｓより短い）の上りスケジューリング要求フォーマットをサポートせず、ユーザ装置２が１ｍｓ  ＴＴＩ及び０．５ｍｓ  ＴＴＩの上りスケジューリング要求フォーマットをサポートし、ユーザ装置３が０．２５ｍｓ  ＴＴＩ及び１ｍｓ  ＴＴＩの上りスケジューリング要求フォーマットをサポートすることに関わる情報等を含む。
【０１０１】
ネットワーク装置は、該ユーザ装置のユーザ能力情報に基づいてマッピング関係の設定を行うことができる。
【０１０２】
例えば、ユーザ装置のユーザ能力情報によれば、ユーザ装置が短ＴＴＩ（例えば、０．２５ｍｓ）をサポートすると、マッピング関係における上りスケジューリング要求フォーマットは、該短ＴＴＩに対応する上りスケジューリング要求フォーマットであり、ユーザ装置が短ＴＴＩをサポートしないと、マッピング関係における上りスケジューリング要求フォーマットは、長ＴＴＩ（例えば、１ｍｓ）に対応する上りスケジューリング要求フォーマットである。
【０１０３】
更に、異なるサイドリンクデータは、多種多様のサイドリンクデータであってもよく、以下を含むが、これらに限定されない。
【０１０４】
任意選択的に、異なるサイドリンクデータは、異なるＰＰＰＰ値を有するサイドリンクデータを含む。
【０１０５】
任意選択的には、異なるサイドリンクデータは、異なるＰＰＰＲ値を有するサイドリンクデータを含む。
【０１０６】
任意選択的に、異なるサイドリンクデータは、異なるＱｏＳ属性値を有するサイドリンクデータを含む。
【０１０７】
任意選択的に、異なるサイドリンクデータは、異なるサイドリンク論理チャネル又は異なるサイドリンク論理チャネルグループのサイドリンクデータを含む。
【０１０８】
任意選択的に、異なるサイドリンクデータは、異なるサービス識別子を有するサイドリンクデータを含む。
【０１０９】
任意選択的に、異なるサイドリンクデータは、異なる宛先アドレスを有するサイドリンクデータを含む。
【０１１０】
同様に、異なる上りスケジューリング要求フォーマットは、多種多様の上りスケジューリング要求フォーマットであってもよく、以下を含むが、これらに限定されない。
【０１１１】
任意選択的に、異なる上りスケジューリング要求フォーマットは、異なる長さのＴＴＩに基づいた上りスケジューリング要求フォーマットを含む。
【０１１２】
任意選択的に、異なる上りスケジューリング要求フォーマットは、異なるＰＵＣＣＨフォーマットに基づいた上りスケジューリング要求フォーマットを含む。
【０１１３】
なお、該マッピング関係において、１種のサイドリンクデータは、１種の上りスケジューリング要求フォーマットにマッピングされてもよく、複数種の上りスケジューリング要求フォーマットにマッピングされてもよい。１種のサイドリンクデータが複数種の上りスケジューリング要求フォーマットにマッピングされる場合、いずれか１種の上りスケジューリング要求フォーマットを選択して利用することができる。
【０１１４】
又は、同一の論理チャネルグループにおける異なるデータは、該論理チャネルグループにおける全てのデータに適用可能な上りスケジューリング要求フォーマットにマッピングされてもよい。例えば、データ１及びデータ２が同一の論理チャネルグループ内に存在し、データ１が第１上りスケジューリング要求フォーマットにマッピングされ、データ２映が第１上りスケジューリング要求フォーマット及び第２上りスケジューリング要求フォーマットにマッピングされるため、該論理チャネルグループにおいて、データ１及びデータ２に対して、統一的に第１上りスケジューリング要求フォーマットを利用する。
【０１１５】
任意選択的に、該実施形態に記載の上りスケジューリング要求は、上りＳＲを含む。
【０１１６】
第１実施形態は、本実施形態に対応する方法の実施形態である。本実施形態は、第１実施形態と組み合わせて実行することができる。第１実施形態で言及した関連技術的詳細は、本実施形態においても有効であり、繰返しの記述を避けるために、ここで、説明を省略する。対応的に、本実施形態で言及した関連技術的詳細は、第１実施形態にも適用可能である。
【０１１７】
本出願の第４実施形態は、ネットワーク装置に関する。
【０１１８】
図８は、該ネットワーク装置の構造を示す概略図である。具体的には、図８に示すように、該ネットワーク装置は、
ユーザ装置からの上りスケジューリング要求を受信するように構成され、該上りスケジューリング要求の上りスケジューリング要求フォーマットが、該ユーザ装置により、送信する必要があるサイドリンクデータ及びマッピング関係に基づいて決定されたものであり、該マッピング関係には、異なるサイドリンクデータと異なる上りスケジューリング要求フォーマットとのマッピング関係が含まれる上りスケジューリング要求受信ユニットを備える。
【０１１９】
任意選択的に、該ネットワーク装置は、
該マッピング関係を設定するように構成される設定ユニットと、
ユーザ装置が送信する必要があるサイドリンクデータに基づいてリソース要求を行う上りスケジューリング要求フォーマットを決定するために、設定ユニットにより設定されたマッピング関係をユーザ装置に送信するように構成されるマッピング関係送信ユニットとを更に備えてもよい。
【０１２０】
任意選択的に、該ネットワーク装置は、
ユーザ装置からの該ユーザ装置のユーザ能力情報を受信するように構成されるユーザ能力情報受信ユニットを更に備えてもよい。
【０１２１】
任意選択的に、ユーザ能力情報は、ユーザ装置が短ＴＴＩに基づいた上りスケジューリング要求フォーマットをサポートするかに関わる情報、及び／又は、ユーザ装置が所定の長さのＴＴＩの上りスケジューリング要求フォーマットをサポートしていることに関わる情報を含む。
【０１２２】
例を挙げると、複数のユーザ装置において、各ユーザ装置のユーザ能力情報は、ユーザ装置１が１ｍｓ  ＴＴＩの上りスケジューリング要求フォーマットのみをサポートし、短ＴＴＩ（例えば、１ｍｓより短い）の上りスケジューリング要求フォーマットをサポートせず、ユーザ装置２が１ｍｓ  ＴＴＩ及び０．５ｍｓ  ＴＴＩの上りスケジューリング要求フォーマットをサポートし、ユーザ装置３が０．２５ｍｓ  ＴＴＩ及び１ｍｓ  ＴＴＩの上りスケジューリング要求フォーマットをサポートすることに関わる情報等を含む。
【０１２３】
更に、任意選択的に、上記設定ユニットは更に、該ユーザ能力情報受信ユニットにより受信された該ユーザ能力情報に基づいて、該マッピング関係を設定するように構成される。
【０１２４】
例えば、ユーザ装置のユーザ能力情報によれば、ユーザ装置が短ＴＴＩ（例えば、０．２５ｍｓ）をサポートすると、マッピング関係における上りスケジューリング要求フォーマットは、該短ＴＴＩに対応する上りスケジューリング要求フォーマットであり、ユーザ装置が短ＴＴＩをサポートしないと、マッピング関係における上りスケジューリング要求フォーマットは、長ＴＴＩ（例えば、１ｍｓ）に対応する上りスケジューリング要求フォーマットである。
【０１２５】
更に、異なるサイドリンクデータは、多種多様のサイドリンクデータであってもよく、以下を含むが、これらに限定されない。
【０１２６】
任意選択的に、異なるサイドリンクデータは、異なるＰＰＰＰ値を有するサイドリンクデータを含む。
【０１２７】
任意選択的には、異なるサイドリンクデータは、異なるＰＰＰＲ値を有するサイドリンクデータを含む。
【０１２８】
任意選択的に、異なるサイドリンクデータは、異なるＱｏＳ属性値を有するサイドリンクデータを含む。
【０１２９】
任意選択的に、異なるサイドリンクデータは、異なるサイドリンク論理チャネル又は異なるサイドリンク論理チャネルグループのサイドリンクデータを含む。
【０１３０】
任意選択的に、異なるサイドリンクデータは、異なるサービス識別子を有するサイドリンクデータを含む。
【０１３１】
任意選択的に、異なるサイドリンクデータは、異なる宛先アドレスを有するサイドリンクデータを含む。
【０１３２】
同様に、異なる上りスケジューリング要求フォーマットは、多種多様の上りスケジューリング要求フォーマットであってもよく、以下を含むが、これらに限定されない。
【０１３３】
任意選択的に、異なる上りスケジューリング要求フォーマットは、異なる長さのＴＴＩに基づいた上りスケジューリング要求フォーマットを含む。
【０１３４】
任意選択的に、異なる上りスケジューリング要求フォーマットは、異なるＰＵＣＣＨフォーマットに基づいた上りスケジューリング要求フォーマットを含む。
【０１３５】
なお、該マッピング関係において、１種のサイドリンクデータは、１種の上りスケジューリング要求フォーマットにマッピングされてもよく、複数種の上りスケジューリング要求フォーマットにマッピングされてもよい。１種のサイドリンクデータが複数種の上りスケジューリング要求フォーマットにマッピングされる場合、いずれか１種の上りスケジューリング要求フォーマットを選択して利用することができる。
【０１３６】
又は、同一の論理チャネルグループにおける異なるデータは、該論理チャネルグループにおける全てのデータに適用可能な上りスケジューリング要求フォーマットにマッピングされてもよい。例えば、データ１及びデータ２が同一の論理チャネルグループ内に存在し、データ１が第１上りスケジューリング要求フォーマットにマッピングされ、データ２映が第１上りスケジューリング要求フォーマット及び第２上りスケジューリング要求フォーマットにマッピングされるため、該論理チャネルグループにおいて、データ１及びデータ２に対して、統一的に第１上りスケジューリング要求フォーマットを利用する。
【０１３７】
任意選択的に、該実施形態に記載の上りスケジューリング要求は、上りＳＲを含む。
【０１３８】
第２実施形態は、本実施形態に対応する方法の実施形態である。本実施形態は、第２実施形態と組み合わせて実行することができる。第２実施形態で言及した関連技術的詳細は、本実施形態においても有効であり、繰返しの記述を避けるために、ここで、説明を省略する。なお、本実施形態で言及した関連技術的詳細は、第２実施形態にも適用可能である。
【０１３９】
本出願の第５実施形態は、通信装置に関する。
【０１４０】
図９は、該ネットワーク装置の構造を示す概略図である。具体的には、図９に示すように、該通信装置は、プロセッサとメモリとを備える。ここで、該メモリは、コンピュータによる実行可能な命令を記憶することができる。該プロセッサは、該メモリに記憶されているコンピュータによる実行可能な命令を実行することができる。
【０１４１】
任意選択的に、該プロセッサは、メモリに記憶されているコンピュータによる実行可能な命令を呼び出して、無線通信方法の実施例におけるユーザ装置に対応する動作を実行することができる。簡潔化を図るために、ここで、説明を省略する。
【０１４２】
任意選択的に、該プロセッサは、メモリに記憶されているコンピュータによる実行可能な命令を呼び出して、無線通信方法の実施例におけるネットワーク装置に対応する動作を実行することができる。簡潔化を図るために、ここで、説明を省略する。
【０１４３】
当業者であれば、上記ユーザ装置及びネットワーク装置の実施形態で開示された各ユニットの機能の実現は上記無線通信方法の関連記載を参照して理解できることを理解すべきであることに留意されたい。上記ユーザ装置及びネットワーク装置の実施形態で開示された各ユニットの機能は、プロセッサで実行されるプログラム（実行可能な命令）により実現してもよいし、具体的な論理回路により実現してもよい。本発明の実施例における上記ユーザ装置がソフトウェア機能モジュールの形式で実現され、且つ独立した製品として販売又は使用される時、１つのコンピュータ読み取り可能な記憶媒体中に記憶されていてもよい。このような理解に基づいて、本発明の実施例の技術的解決手段は、実質的に又は従来技術に貢献する部分は、ソフトウェア製品の形式で表現することができ、当該コンピュータソフトウェア製品は、１つの記憶媒体に記憶されて、若干の命令を含み、一台のコンピュータデバイス（例えば、パーソナルコンピュータ、サーバ、又はネットワークデバイス等）が本発明の各実施例に記述した方法の全て又は一部を実行するようにする。上述の記憶媒体は、Ｕディスク、リムーバブルハードディスク、読み出し専用メモリ（Ｒｅａｄ  Ｏｎｌｙ  Ｍｅｍｏｒｙ：ＲＯＭ）、磁気ディスク、又は光ディスクなどの、プログラムコードを記憶することができる各種の媒体を含んでも良い。このように、本発明の実施例は、ハードウェアとソフトウェアの任意の特定の組み合わせに限定されるものではない。
【０１４４】
それに対応して、本発明の実施例はコンピュータ記憶媒体を更に提供し、該コンピュータ記憶媒体には、コンピュータによる実行可能な命令が記憶されており、該コンピュータによる実行可能な命令がプロセッサにより実行される時、本発明の各方法の実施形態を実現させる。
【０１４５】
なお、本発明の出願書類には、第１及び第２のような関係語は、１つのエンティティ又は操作と、別のエンティティ又は操作とを区別するためのものに過ぎない。これらのエンティティ又は操作同士には任意のそのような実際の関係又は順番が存在することは必須ではないか又は示唆されない。また、用語「含む」、「包含」又はそれらの他の変形の任意のものは、非排他的包含を含むことを意図する。従って一連の要素を含む過程、方法、物品又は装置はこれらの要素を含むだけでなく、明確に挙げられていない他の要素も含むか、又はこのような過程、方法、物品又は装置に固有の要素も含む。更なる限定のない場合に、語句「１つの…を含む」により限定された要素は、前記要素を含む過程、方法、物品又は装置において更に別の同一の要素が存在することを排除しない。本発明の出願書類には、ある要素に基づいてある動作を実行することに言及されると、少なくとも該要素に基づいて該動作を実行することを意味し、ここで、該要素のみに基づいて該動作を実行すること、該要素及び他の要素に基づいて該動作を実行することを含む。複数、複数回、複数種等の表現は、２つ、２回、２種及び２つ以上、２回以上、２種以上を含む。
【０１４６】
各文献がそれぞれ単独に引用されるように、本発明に係るすべての文献は本出願で参考として引用する。当業者であれば、本発明の上記の内容を読み終えた後、本発明について各種の変形や調整を行うことができるが、このような等価の様態のものは本発明の請求の範囲に含まれることを理解すべきである。
【図１】
2021518707.tif 000003
【図２】
2021518707.tif 000004
【図３】
2021518707.tif 000005
【図４】
2021518707.tif 000006
【図５】
2021518707.tif 000007
【図６】
2021518707.tif 000008
【図７】
2021518707.tif 000009
【図８】
2021518707.tif 000010
【図９】
2021518707.tif 000011
【国際調査報告】
2021518707.tif 000012
2021518707.tif 000013
2021518707.tif 000014
2021518707.tif 000015